(57)【要約】【課題】効率よく雨水を排水するとともに、騒音を低減することが可能な雨水排水装置を提供する。【解決手段】雨水排水装置１０は、雨水が流入する流入口２１ａと、略鉛直方向に沿って配置され流入口２１ａから流入した雨水を下流側へ排水する排水配管部とを備えている。排水配管部は、断面が略円形であって第１直径ａを有する第１配管部１１と、第１配管部１１の下流側に接続され断面が略円形であって第１直径ａよりも小さい第２直径ｂを有する第２配管部１３と、第１配管部１１と第２配管部１３とを連結し第１直径ａから第２直径ｂまで外径を縮小する縮径部１２と、を有している。縮径部１２における縮径率は、０．５以上であって、縮径部１２の雨水の排水方向における長さは、８０ｍｍ以上である。【選択図】図４
2020020165.tif 000002
【特許請求の範囲】
【請求項１】
雨水が流入する流入口と、
略鉛直方向に沿って配置され、前記流入口から流入した前記雨水を下流側へ排水する排水配管部と、
を備え、
前記排水配管部は、
断面が略円形であって、第１直径を有する第１配管部と、
前記第１配管部の下流側に接続され、断面が略円形であって、前記第１直径よりも小さい第２直径を有する第２配管部と、
前記第１配管部と前記第２配管部とを連結し、前記第１直径から前記第２直径まで外径を縮小する縮径部と、
を有しており、
前記縮径部における縮径率は、０．５以上であって、
前記縮径部の前記雨水の排水方向における長さは、８０ｍｍ以上である、
雨水排水装置。
【請求項２】
前記排水配管部によって排水される前記雨水にサイフォン現象を誘発させるサイフォン誘発部を、さらに備えている、
請求項１に記載の雨水排水装置。
【請求項３】
前記第１配管は、１５Ｌ／ｓ以上の設計流量が設定されている、
請求項１または２に記載の雨水排水装置。
【発明の詳細な説明】
【技術分野】
【０００１】
本発明は、雨水を排水するための雨水排水装置に関する。
【背景技術】
【０００２】
近年、集中豪雨の頻度が増加していることに伴って、建物の屋根雨水を効率よく排水するために、雨水配管が大型化してきている。
【０００３】
これに対して、サイフォン現象を用いることで、雨水配管の小外径化と雨水立て管本数の削減を可能とする雨水排除手段が用いられている。
【０００４】
例えば、特許文献１には、大雨のときにサイフォン現象によって大量の雨水を極めて効率よく排水でき、コストアップや家屋の外観を損なうことがないサイフォン式雨水排水装置について開示されている。
【先行技術文献】
【特許文献】
【０００５】
【特許文献１】特開２００４−３０８３９９号公報（特許第４１３０６１６号公報）
【発明の概要】
【発明が解決しようとする課題】
【０００６】
しかしながら、上記従来の雨水排水装置では、以下に示すような問題点を有している。
すなわち、上記公報に開示された雨水排水装置は、軒先に取り付けられた軒樋の底部に、家屋の外壁材に沿って配管される。しかし、近年、非住宅ビルでは、ビル外観の意匠性の問題から、雨水配管は屋内に設置される。
【０００７】
例えば、サイフォン現象を利用した雨水排水装置では、サイフォン現象による引力と重力とが加算されて雨水が大きな位置エネルギーを持つ。このため、特に、雨水排水装置が高層建造物へ導入された場合には、雨水を排水する際に、下流側の配水管の接続部分が破壊されたり、排水量をコントロールすることが困難になったりするおそれがある。
【０００８】
そこで、雨水配管の縮径部を利用して、排水中におけるエネルギー損失を大きくして安定的に排水していくことが行われるが、縮径部において発生する騒音が大きくなるおそれがある。
【０００９】
本発明の課題は、効率よく雨水を排水するとともに、騒音を低減することが可能な雨水排水装置を提供することにある。
【課題を解決するための手段】
【００１０】
第１の発明に係る雨水排水装置は、雨水が流入する流入口と、略鉛直方向に沿って配置され流入口から流入した雨水を下流側へ排水する排水配管部と、を備えている。排水配管部は、断面が略円形であって第１直径を有する第１配管部と、第１配管部の下流側に接続され断面が略円形であって第１直径よりも小さい第２直径を有する第２配管部と、第１配管部と第２配管部とを連結し第１直径から第２直径まで外径を縮小する縮径部と、を有している。縮径部における縮径率は、０．５以上であって、縮径部の雨水の排水方向における長さは、８０ｍｍ以上である。
【００１１】
ここでは、例えば、マンションやビル等の建造物のスラブを貫通するように屋内に設けられた雨水排水装置において、第１配管部と、第１配管部よりも外径が小さい第２配管部と、第１配管部と第２配管部とを連結する縮径部と、を備えている。そして、縮径部は、縮径率が０．５以上であって、雨水の排水方向における長さが８０ｍｍ以上である。
【００１２】
なお、縮径率とは、第１配管部の断面積に対する第２配管部の断面積の面積比であって、排水が移動する配管の断面積が縮小する程度を意味する。
【００１３】
これにより、雨水の排水時に雨水の位置エネルギーが大きい場合でも、縮径によってエネルギー損失を大きくして安定的に排水するとともに、縮径部における縮径率と長さとを適切な範囲に設定することで、騒音の発生要因となる振動の発生を抑制することができる。
この結果、効率よく雨水を排水するとともに、騒音を低減することができる。
【００１４】
第２の発明に係る雨水排水装置は、第１の発明に係る雨水排水装置であって、排水配管部によって排水される雨水にサイフォン現象を誘発させるサイフォン誘発部を、さらに備えている。
【００１５】
ここでは、第１配管部および第２配管部を介して排水される雨水に対してサイフォン現象を誘発させるサイフォン誘発部を設けている。
【００１６】
ここで、サイフォン誘発部は、第１配管部および第２配管部よりも上流側に配置されていてもよいし、第１配管部および第２配管部の内部に設けられていてもよい。
【００１７】
これにより、排水される雨水にサイフォン現象による引力を働かせることで効率よく排水することができるとともに、その際に生じる騒音の発生を抑制することができる。
【００１８】
第３の発明に係る雨水排水装置は、第１または第２の発明に係る雨水排水装置であって、第１配管部は、１５Ｌ／ｓ以上の設計流量が設定されている。
【００１９】
ここでは、例えば、サイフォン現象を利用した排水を行う第１配管部の設計流量が１５Ｌ／ｓ以上になるように設計されている。
【００２０】
これにより、排水能力の高い第１配管部を用いて排水を行う際に、効率よく排水を行うとともに、騒音の発生を低減することができる。
【発明の効果】
【００２１】
本発明に係る雨水排水装置によれば、効率よく雨水を排水するとともに、騒音を低減することができる。
【図面の簡単な説明】
【００２２】
【図１】本発明の一実施形態に係る雨水排水装置を含む雨水排水システムの構成を示す概略図。
【図２】図１の雨水排水システムにおける流入口近傍の断面図。
【図３】（ａ）は、図１の雨水排水装置におけるサイフォン誘発部の構成を示す正面図。（ｂ）は、その平面図。
【図４】図１の雨水排水装置を構成する排水配管部の構成を示す模式図。
【図５】本発明の実施例１〜８による騒音・振動の低減効果を検証した結果を示す図。
【図６】比較例１〜５において発生する騒音・振動を検証した結果を示す図。
【発明を実施するための形態】
【００２３】
本発明の一実施形態に係る雨水排水装置１０について、図１から図４を用いて説明すれば以下の通りである。
【００２４】
本実施形態に係る雨水排水装置１０は、図１に示すように、建造物３０に設置された雨水排水システム５０の一部を構成する。
【００２５】
なお、図１に示す建造物３０は、３階建てのビルであって、１階と２階との間、２階と３階との間に、それぞれスラブ２０が設けられている。
【００２６】
（雨水排水システム５０）
雨水排水システム５０は、図１に示すように、雨水排水装置１０と、立て配管部２１と、横引き配管部２２と、接続部２３と、排水口２４と、サイフォン発生器（サイフォン誘発部）４０と、を備えている。
【００２７】
立て配管部２１は、ビル等の建造物３０の屋上面３１に降った雨水を、横引き配管部２２に雨水を流し込むためのルーフドレンとして設けられている。そして、立て配管部２１は、図１に示すように、建造物３０の屋根伝いに片側３箇所ずつ、計６箇所に設置されている。
【００２８】
なお、立て配管部２１は、例えば、外径が５０Ａ（約６０ｍｍ）であって断面が円形の配管を用いることができる。なお、立て配管部２１は、外径が６５Ａ（約７６ｍｍ）の配管を介して、横引き配管部２２に接続されていてもよい。
【００２９】
横引き配管部２２は、立て配管部２１から排水された雨水を受けて、雨水排水装置１０に導くために設けられている。そして、横引き配管部２２は、図１に示すように、建造物３０の屋上面３１の側方において、雨水排水装置１０との接続側に向かって下方傾斜するように配置されている。さらに、横引き配管部２２は、雨水の移動方向における下流側の端部において雨水排水装置１０と接続されている。
【００３０】
なお、横引き配管部２２は、例えば、断面形状が、円形、楕円形、あるいは略Ｕ字形の部材を用いることができる。
【００３１】
接続部２３は、略Ｌ字状の外形を有する配管であって、横引き配管部２２の下流側の端部と雨水排水装置１０の第１配管部１１の上端とを接続するために設けられている。
【００３２】
なお、接続部２３は、断面形状が、例えば、接続される横引き配管部２２の断面形状に合わせて、円形、楕円形、あるいは略Ｕ字形の部材を用いることができる。
【００３３】
排水口２４は、図１に示すように、雨水排水装置１０の最下流側に接続されており、横引き配管部２２から雨水排水装置１０を介して集められた雨水を、地面近くにおいて排水する。
【００３４】
サイフォン発生器４０は、図２に示すように、建造物３０の屋上面３１に形成された凹部３２内の設置面３２ａ上において、流入口２１ａを塞ぐように配置されている。そして、サイフォン発生器４０の材質としては、例えば、ＰＥ（ポリエチレン）やＰＰ（ポリプロピレン）などのオレフィン系樹脂、塩ビ樹脂、あるいは、アルミニウム、アルミ合金、ステンレス等の金属等を用いることができる。樹脂やアルミニウム、アルミニウム合金を用いることにより、軽量かつ低コストで、所望の形状を備えたサイフォン発生器４０を得ることができる。
【００３５】
図３（ａ）は、サイフォン発生器４０の平面構成図であり、図３（ｂ）は、図３（ａ）のＡ−Ａ線矢視断面図である。
【００３６】
サイフォン発生器４０は、ベース部４１と、蓋部４２と、整流フィン４３と、を有する。
【００３７】
ベース部４１は、図３（ａ）および図３（ｂ）に示すように、円環状の底面４１ａと、底面４１ａの略中心に形成された雨水を落下させる落とし口４１ｂと、筒状部４１ｃとを有している。そして、落とし口４１ｂは、筒状部４１ｃの上端に形成されている。筒状部４１ｃは、立て配管部２１の上端部の内部に挿入されるように配置される。
【００３８】
底面４１ａは、図３（ａ）および図３（ｂ）に示すように、略中央部分に落とし口４１ｂが形成された円環状の部材である。そして、円環状の底面４１ａには、落とし口４１ｂを中心に、複数の整流フィン４３が等角度間隔で配置されている。
【００３９】
落とし口４１ｂは、図３（ａ）に示すように、ベース部４１の中心部に形成された貫通穴であって、筒状部４１ｃの内部に形成されている。そして、落とし口４１ｂは、立て配管部２１の配管部分の上端部に連通しており、サイフォン発生器４０に対して３６０度方向から流入してきた雨水を、立て配管部２１の配管内へと落下させる。
【００４０】
筒状部４１ｃは、図３（ａ）および図３（ｂ）に示すように、円筒状の部材であって、その上端部において底面４１ａと連結され、底面４１ａから下向きに突出するように形成されている。そして、筒状部４１ｃは、内部に落とし口４１ｂが形成される。
【００４１】
蓋部４２は、図３（ａ）および図３（ｂ）に示すように、ベース部４１の上方に、ベース部４１の中心に形成された落とし口４１ｂと同心円状に配置された円形の板状部材であって、ベース部４１の底面４１ａ上に立設された複数の整流フィン４３によって支持されている。また、蓋部４２は、図３（ｂ）に示すように、ベース部４１（落とし口４１ｂ）の上方に、底面４１ａから所定の隙間Ｇの大きさ（高さ）をあけて配置されている。
【００４２】
複数の整流フィン４３は、図３（ａ）および図３（ｂ）に示すように、落とし口４１ｂに流入する雨水の流れを整えるために、ベース部４１の底面４１ａ上に設けられている。より具体的には、複数の整流フィン４３は、図３（ａ）に示すように、略鉛直方向に沿って配置された板状の部材であって、底面４１ａ上に、落とし口４１ｂを中心とする円の円周上に、等角度間隔で８つ設けられている。
【００４３】
また、８つの整流フィン４３は、それぞれ円環状の底面４１ａにおいて、径方向に沿って配置されている。
【００４４】
これにより、図３（ａ）に示すように、ベース部４１の底面４１ａと蓋部４２との間の隙間Ｇに流入してきた雨水が渦状に浸入してきた場合（図中一点鎖線参照）でも、整流フィン４３によって雨水を整流し、落とし口４１ｂの中心に向かって雨水を誘導することができる。
【００４５】
このため、第１配管部１１内に雨水が渦状に流入して、その中心部に空気柱が形成されることを防止することができる。
【００４６】
この結果、第１配管部１１内において生じるサイフォン現象の発生の阻害要因を効果的に排除して、雨水排水装置１０による排水効率を向上させることができる。
【００４７】
（雨水排水装置１０）
雨水排水装置１０は、図１に示すように、ビル等の建造物３０の屋内（外壁の内側）に、各階のスラブ２０を貫通するように配置されている。そして、雨水排水装置１０は、横引き配管部２２によって集められた雨水を略鉛直方向に沿って移動させ、地面付近に配置された排水口２４から排水する。さらに、雨水排水装置１０は、図２に示すように、流入口２１ａと、排水配管部（第１配管部１１と、縮径部１２と、第２配管部１３）とを備えている。
【００４８】
第１配管部１１は、ＰＥ（ポリエチレン）製の円筒形状を有する管状部材であって、図２に示すように、略鉛直方向に沿って配置されており、外径ａを有している。そして、第１配管部１１は、その下端部１１ａにおいて縮径部１２と接続されている。
【００４９】
なお、第１配管部１１の外径ａは、例えば、外径ａ＝約１５０ｍｍ、外径ａ＝約１００ｍｍ等の配管を用いることができる。
【００５０】
また、第１配管部１１は、１５Ｌ／ｓ以上の設計流量になるように形成されている。これにより、上述したサイフォン発生器４０等の作用によって、効率よく大量の排水を下流側へと移動させることができる。
【００５１】
縮径部１２は、ＰＥ（ポリエチレン）製の円筒形状を有する管状部材であって、図４に示すように、第１配管部１１の下端部１１ａと第２配管部１３の上端部１３ａとを連結するために設けられている。そして、縮径部１２は、上端部１２ａの内径が第１配管部１１の外径とほぼ同等であって、下端部１２ｃの内径が第２配管部１３の外径と同等になるように、下流側に向かって内径（外径）が小さくなる中央部１２ｂによって上端部１２ａから下端部１２ｃにかけて内径（外径）が縮小するように形成されている。
【００５２】
第２配管部１３は、ＰＥ（ポリエチレン）製の管状部材であって、図４に示すように、略鉛直方向に沿って配置されており、外径ｂを有している。そして、第２配管部１３は、その上端部１３ａにおいて縮径部１２と接続されている。
【００５３】
なお、第２配管部１３の外径ｂは、例えば、外径ｂ＝約１００ｍｍ、外径ｂ＝約７５ｍｍ等の配管を用いることができる。
【００５４】
例えば、第１配管部１１として、外径ａが約１００ｍｍの配管を用いる場合には、第２配管部１３として、外径ｂが約７５ｍｍの配管（縮径率０．６１）を用いることができる。また、第１配管部１１として、外径ａが約１５０ｍｍの配管を用いる場合には、第２配管部１３として、外径ｂが約１２５ｍｍの配管（縮径率０．７２）を用いることができる。
【００５５】
ここで、第１配管部１１の下端部１１ａと第２配管部１３の上端部１３ａとを連結する縮径部１２の縮径率とは、第１配管部１１の断面積に対する第２配管部１３の断面積の面積比であって、排水が移動する配管部の断面積が縮小する程度を意味する。
【００５６】
本実施形態の雨水排水装置１０では、図４に示すように、縮径部１２を介して、第１配管部１１と第２配管部１３とが接続されている。そして、縮径部１２における縮径率は、０．５以上であって、かつ縮径部１２は、雨水の排水方向における長さは８０ｍｍ以上になるように形成されている。
【００５７】
これにより、雨水排水装置１０において雨水を排水する際に騒音が発生しやすい縮径部１２において生じる騒音や振動を効果的に抑制することができる。
【００５８】
この結果、縮径部１２において生じる騒音を効果的に低減することができる。
さらに、雨水排水装置１０による排水効率を向上させることができるため、ビル等の建造物３０に設置される雨水排水装置１０の数を減らしてコストダウンを図ることができる。
【００５９】
なお、縮径部１２の縮径率は、０．５以上、１．０未満の範囲内であることがより好ましい。
【００６０】
また、縮径部１２の排水方向における長さは、８０ｍｍ以上、１７０ｍｍ以下の範囲内であることがより好ましい。
【００６１】
縮径部１２の排水方向における長さの上限を設定したのは、縮径部１２の長さが１７０ｃｍを超えると、縮径部１２を設けたことによる効果がほとんど変わらなくなるためである。
【００６２】
なお、本実施形態において特定した縮径部１２の縮径率、長さの好ましい範囲について、以下の実施例においてその数値の根拠について説明する。
【実施例】
【００６３】
図５に、上記実施形態に係る雨水排水装置１０において、第１配管部１１の外径ａ、第２配管部１３の外径ｂ、第１配管部１１と第２配管部１３との外径断面積比（縮径率）、縮径部１２の長さｃ、縮径部１２のＲ径ｄ、第１配管部１１を流れる流量を変化させた際に、縮径部１２において発生する排水音（騒音）の大きさ（ｄＢ）と振動の大きさとを測定した結果を示す。
【００６４】
なお、以下の実施例（図５）、比較例（図６）では、第１・第２配管部１１，１３および縮径部１２として、ＰＥ製であって肉厚がＳＤＲ（Standard Dimension Ratio）１１の配管を用いた。
【００６５】
また、上記縮径部１２のＲ径ｄとは、縮径部１２において、上端部１２ａと中央部１２ｂと境界部分に形成されたＲ部の径、および中央部１２ｂと下端部１２ｃとの境界部分に形成されたＲ部の径を意味するものとする。
【００６６】
縮径部１２付近において発生する排水音の測定は、８階建ての屋上部分に関する設置された流入口２１ａから０．６ｍ長の立て配管部２１および１．５ｍ長の横引き配管部２２を介して、雨水を第１配管部１１内において１０ｍ落下させた４階の位置に縮径部１２を配置した遮音室内において実施した。そして、サイフォン現象を発生させて排水を行い、縮径部１２に接続された第２配管部１３から０．５ｍ離れた位置において、４階の床面から１．５ｍの高さ位置にマイク等の集音装置を設置して実施した。
【００６７】
また、縮径部１２に生じる振動については、直接、縮径部１２を手で触って振動の大きさを確認した。
【００６８】
なお、図５および図６では、排水騒音の評価を、○（排水音が小さい）、×（排水音が大きい）、配管振動の評価を、○（振動が小さい）、×（振動が大きい）とした。
【実施例１】
【００６９】
本発明の実施例１では、図５に示すように、第１配管部１１の外径ａ＝１００ｍｍ、第２配管部１３の外径ｂ＝７５ｍｍ、第１配管部１１と第２配管部１３との外径断面積比（縮径率）＝０．６１、縮径部１２の長さｃ＝１３５ｍｍ、Ｒ径ｄなし、流量２０Ｌ／ｓとした。
【００７０】
このとき、縮径部１２周辺から発生する音の大きさは、６１ｄＢであり、配管の振動もほとんど見られなかった。
【実施例２】
【００７１】
本発明の実施例２では、図５に示すように、第１配管部１１の外径ａ＝１００ｍｍ、第２配管部１３の外径ｂ＝７５ｍｍ、第１配管部１１と第２配管部１３との外径断面積比（縮径率）＝０．６１、縮径部１２の長さｃ＝１３５ｍｍ、Ｒ径ｄ＝５ｍｍ、流量２０Ｌ／ｓとした。
【００７２】
このとき、縮径部１２周辺から発生する音の大きさは、５７ｄＢであり、配管の振動もほとんど見られなかった。
【実施例３】
【００７３】
本発明の実施例３では、図５に示すように、第１配管部１１の外径ａ＝１００ｍｍ、第２配管部１３の外径ｂ＝７５ｍｍ、第１配管部１１と第２配管部１３との外径断面積比（縮径率）＝０．６１、縮径部１２の長さｃ＝１３５ｍｍ、Ｒ径ｄ＝２０ｍｍ、流量２０Ｌ／ｓとした。
【００７４】
このとき、縮径部１２周辺から発生する音の大きさは、５５ｄＢであり、配管の振動もほとんど見られなかった。
【実施例４】
【００７５】
本発明の実施例４では、図５に示すように、第１配管部１１の外径ａ＝１００ｍｍ、第２配管部１３の外径ｂ＝７５ｍｍ、第１配管部１１と第２配管部１３との外径断面積比（縮径率）＝０．６１、縮径部１２の長さｃ＝８０ｍｍ、Ｒ径ｄなし、流量２０Ｌ／ｓとした。
【００７６】
このとき、縮径部１２周辺から発生する音の大きさは、６５ｄＢであり、配管の振動もほとんど見られなかった。
【実施例５】
【００７７】
本発明の実施例５では、図５に示すように、第１配管部１１の外径ａ＝１００ｍｍ、第２配管部１３の外径ｂ＝７５ｍｍ、第１配管部１１と第２配管部１３との外径断面積比（縮径率）＝０．６１、縮径部１２の長さｃ＝１７０ｍｍ、Ｒ径ｄなし、流量２０Ｌ／ｓとした。
【００７８】
このとき、縮径部１２周辺から発生する音の大きさは、５８ｄＢであり、配管の振動もほとんど見られなかった。
【実施例６】
【００７９】
本発明の実施例６では、図５に示すように、第１配管部１１の外径ａ＝１５０ｍｍ、第２配管部１３の外径ｂ＝１２５ｍｍ、第１配管部１１と第２配管部１３との外径断面積比（縮径率）＝０．７２、縮径部１２の長さｃ＝１４５ｍｍ、Ｒ径ｄなし、流量３０Ｌ／ｓとした。
【００８０】
このとき、縮径部１２周辺から発生する音の大きさは、６９ｄＢであり、配管の振動もほとんど見られなかった。
【実施例７】
【００８１】
本発明の実施例７では、図５に示すように、第１配管部１１の外径ａ＝１５０ｍｍ、第２配管部１３の外径ｂ＝１２５ｍｍ、第１配管部１１と第２配管部１３との外径断面積比（縮径率）＝０．７２、縮径部１２の長さｃ＝１４５ｍｍ、Ｒ径ｄ＝２０ｍｍ、流量３０Ｌ／ｓとした。
【００８２】
このとき、縮径部１２周辺から発生する音の大きさは、６５ｄＢであり、配管の振動もほとんど見られなかった。
【実施例８】
【００８３】
本発明の実施例８では、図５に示すように、第１配管部１１の外径ａ＝１５０ｍｍ、第２配管部１３の外径ｂ＝１２５ｍｍ、第１配管部１１と第２配管部１３との外径断面積比（縮径率）＝０．７２、縮径部１２の長さｃ＝９０ｍｍ、Ｒ径ｄなし、流量３０Ｌ／ｓとした。
【００８４】
このとき、縮径部１２周辺から発生する音の大きさは、７３ｄＢであり、配管の振動もほとんど見られなかった。
【００８５】
（実施例１〜８のまとめ）
以上、実施例１〜５の結果から、上述した実施形態において説明した数値範囲になるように構成することで、流量２０Ｌ／ｓ時の縮径部１２周辺から発生する排水時の音の大きさは、５５ｄＢ〜６５ｄＢの範囲に低減し、配管の振動もほとんど見られなかった。
【００８６】
また、実施例６〜８の結果から、上述した実施形態において説明した数値範囲になるように構成することで、流量３０Ｌ／ｓ時の縮径部１２周辺から発生する排水時の音の大きさは、６５ｄＢ〜７３ｄＢの範囲に低減し、配管の振動もほとんど見られなかった。
【比較例】
【００８７】
次に、本発明の騒音および振動の低減効果を立証するための比較例として、縮径部１２の縮径率および縮径長さを変化させた場合の排水時における騒音の大きさ、振動の発生の有無について検証した結果を以下に示す。
【比較例１】
【００８８】
比較例１では、図６に示すように、第１配管部１１の外径ａ＝１００ｍｍ、第２配管部１３の外径ｂ＝７５ｍｍ、第１配管部１１と第２配管部１３との外径断面積比（縮径率）＝０．６１、縮径部１２の長さｃ＝３０ｍｍ、Ｒ径ｄなし、流量２０Ｌ／ｓとした。
【００８９】
このとき、縮径部１２周辺から発生する音の大きさは、７２ｄＢであり、配管振動も発生していた。
【００９０】
ここで、比較例１では、上記実施例１と比較して、縮径部１２の縮径長さｃのみを変化させている。
【００９１】
よって、比較例１の結果から、縮径部１２の縮径長さｃが１３５ｍｍから３０ｍｍに変化したことで、騒音および振動が増大したことが分かる。
【００９２】
この結果から、縮径部１２の縮径長さｃを３０ｍｍから１３５ｍｍとすることで、排水時に発生する騒音レベルが７２ｄＢから６１ｄＢまで（マイナス１１ｄＢ）低減できることが分かった。
【比較例２】
【００９３】
比較例２では、図６に示すように、第１配管部１１の外径ａ＝１００ｍｍ、第２配管部１３の外径ｂ＝７５ｍｍ、第１配管部１１と第２配管部１３との外径断面積比（縮径率）＝０．６１、縮径部１２の長さｃ＝７０ｍｍ、Ｒ径ｄなし、流量２０Ｌ／ｓとした。
【００９４】
このとき、縮径部１２周辺から発生する音の大きさは、７０ｄＢであり、配管振動も発生していた。
【００９５】
ここで、比較例２では、上記実施例１と比較して、縮径部１２の縮径長さｃのみを変化させている。
【００９６】
よって、比較例２の結果から、縮径部１２の縮径長さｃが１３５ｍｍから７０ｍｍに変化したことで、騒音および振動が増大したことが分かる。
【００９７】
この結果から、縮径部１２の縮径長さｃを７０ｍｍから１３５ｍｍとすることで、排水時に発生する騒音レベルが７０ｄＢから６１ｄＢまで（マイナス９ｄＢ）低減できることが分かった。
【比較例３】
【００９８】
比較例３では、図６に示すように、第１配管部１１の外径ａ＝１５０ｍｍ、第２配管部１３の外径ｂ＝１２５ｍｍ、第１配管部１１と第２配管部１３との外径断面積比（縮径率）＝０．７２、縮径部１２の長さｃ＝４０ｍｍ、Ｒ径ｄなし、流量３０Ｌ／ｓとした。
【００９９】
このとき、縮径部１２周辺から発生する音の大きさは、８１ｄＢであった。
ここで、比較例３では、上記実施例６と比較して、縮径部１２の縮径長さｃのみを変化させている。
【０１００】
よって、比較例３の結果から、縮径部１２の縮径長さｃが１４５ｍｍから４０ｍｍに変化したことで、騒音および振動が増大したことが分かる。
【０１０１】
この結果から、縮径部１２の縮径長さｃを４０ｍｍから１４５ｍｍとすることで、排水時に発生する騒音レベルが８１ｄＢから６９ｄＢまで（マイナス１２ｄＢ）低減できることが分かった。
【比較例４】
【０１０２】
比較例４では、図６に示すように、第１配管部１１の外径ａ＝１５０ｍｍ、第２配管部１３の外径ｂ＝１２５ｍｍ、第１配管部１１と第２配管部１３との外径断面積比（縮径率）＝０．７２、縮径部１２の長さｃ＝７０ｍｍ、Ｒ径ｄなし、流量３０Ｌ／ｓとした。
【０１０３】
このとき、縮径部１２周辺から発生する音の大きさは、７９ｄＢであった。
ここで、比較例４では、上記実施例６と比較して、縮径部１２の縮径長さｃのみを変化させている。
【０１０４】
よって、比較例３の結果から、縮径部１２の縮径長さｃが１４５ｍｍから７０ｍｍに変化したことで、騒音および振動が増大したことが分かる。
【０１０５】
この結果から、縮径部１２の縮径長さｃを７０ｍｍから１４５ｍｍとすることで、排水時に発生する騒音レベルが７９ｄＢから６９ｄＢまで（マイナス１０ｄＢ）低減できることが分かった。
【比較例５】
【０１０６】
比較例５では、図６に示すように、第１配管部１１の外径ａ＝１５０ｍｍ、第２配管部１３の外径ｂ＝１０５ｍｍ、第１配管部１１と第２配管部１３との外径断面積比（縮径率）＝０．４８、縮径部１２の長さｃ＝８０ｍｍ、Ｒ径ｄなし、流量３０Ｌ／ｓとした。
【０１０７】
このとき、縮径部１２周辺から発生する音の大きさは、９０ｄＢであった。
ここで、比較例５では、上記実施例８と比較して、縮径部１２の縮径率を変化させ、縮径長さをわずかに変化させている。
【０１０８】
よって、比較例５の結果から、縮径部１２の縮径率が０．７２から０．４８に、縮径長さｃが９０ｍｍから８０ｍｍに変化したことで、騒音および振動が増大したことが分かる。
【０１０９】
この結果から、縮径部１２の縮径率を０．４８から０．７２とし、縮径長さｃを僅かに短くしたことで、排水時に発生する騒音レベルが９０ｄＢから７３ｄＢまで（マイナス１７ｄＢ）低減できることが分かった。
【０１１０】
（実施例１〜８および比較例１〜５のまとめ）
以上のように、実施例１〜８と比較例１〜５とを比較した結果、本発明に係る実施例１〜８の構成によれば、流量２０Ｌ／ｓ時における騒音レベルは、５５ｄＢ〜６５ｄＢ、流量３０Ｌ／ｓ時における騒音レベルは、６５ｄＢ〜７３ｄＢの範囲であって、配管の振動もほとんど見られなかった。
【０１１１】
一方、縮径部１２の縮径長さｃを、実施例から変化させた比較例１〜５の構成によれば、流量２０Ｌ／ｓ時における騒音レベルは、７０ｄＢ〜７２ｄＢ、流量３０Ｌ／ｓ時における騒音レベルは、７９ｄＢ〜９０ｄＢの範囲であって、配管の振動も発生した。
【０１１２】
よって、縮径部１２の縮径長さｃを所定の範囲に配置することで、縮径部１２の振動を抑制して、縮径部１２周辺において発生する騒音レベルを低減できることが分かった。
【０１１３】
［他の実施形態］
以上、本発明の一実施形態について説明したが、本発明は上記実施形態に限定されるものではなく、発明の要旨を逸脱しない範囲で種々の変更が可能である。
【０１１４】
（Ａ）
上記実施形態では、建造物３０の屋上面３１に設けられた凹部３２内の設置面２１ａ上に、排水される雨水にサイフォン現象を発生させるサイフォン発生器４０を設けた構成を例として挙げて説明した。しかし、本発明はこれに限定されるものではない。
【０１１５】
例えば、本発明の雨水排水装置は、サイフォン発生器（サイフォン誘発部）を持たない構成であってもよい。
【０１１６】
（Ｂ）
上記実施形態では、ビル等の建造物３０の室内側に配置されておりスラブ２０を貫通するように設けられた第１配管部１１、縮径部１２、および第２配管部１３を含む排水配管部を例として挙げて説明した。しかし、本発明はこれに限定されるものではない。
【０１１７】
例えば、室外に設置された排水配管部に対して、本発明を適用してもよい。
この場合でも、効率よく排水を行うとともに、騒音や振動の発生を抑制するという効果を奏することができる。
【０１１８】
（Ｃ）
上記実施形態では、第１配管部１１、縮径部１２、第２配管部１３として、ＰＥ製の管状部材を用いて雨水排水装置１０を構成した例を挙げて説明した。しかし、本発明はこれに限定されるものではない。
【０１１９】
例えば、ＰＥ以外にも、ＰＰ（ポリプロピレン）等の他のオレフィン系樹脂や、ＰＶＣ（塩ビ）等の他の樹脂を用いて、雨水排水装置を構成する各部材を形成してもよい。
【０１２０】
この場合でも、上記実施形態と同様に、雨水排水装置の軽量化を図ることができるとともに、スラブ貫通部の施工性および配管全体の施工性を向上させることができる。
【０１２１】
（Ｄ）
上記実施形態では、第１配管部１１および第２配管部１３として、外径が均一の配管を用いた例を挙げて説明した。しかし、本発明はこれに限定されるものではない。
【０１２２】
例えば、全体的に下流側に向かって徐々に縮径する形状を有する配管を用いてもよいし、配管の一部に縮径する形状を有する配管を用いてもよい。
【０１２３】
（Ｅ）
上記実施形態では、第１配管部１１、縮径部１２および第２配管部１３として、排水方向に垂直な断面が略円形の配管を用いた例を挙げて説明した。しかし、本発明はこれに限定されるものではない。
【０１２４】
例えば、円形状に限らず、楕円形状等の略円形の断面形状を有する配管を用いてもよい。
【０１２５】
（Ｆ）
上記実施形態では、ビル等の建造物３０の側面に沿って、２つの雨水排水装置１０が配置された例を挙げて説明した。しかし、本発明はこれに限定されるものではない。
【０１２６】
例えば、建造物に対して設置される雨水排水装置の数はこれに限定されるものではなく、１つであってもよいし、３つ以上であってもよい。
【０１２７】
（Ｇ）
上記実施形態では、流入口２１ａが、ビル等の建造物３０の屋上３１に形成された凹部３２の底面３２ａに形成された例を挙げて説明した。しかし、本発明はこれに限定されるものではない。
【０１２８】
例えば、屋上に凹部を設けず直接、屋上の上面に流入口が形成されていてもよい。
【産業上の利用可能性】
【０１２９】
本発明の雨水排水装置は、効率よく雨水を排水するとともに、騒音を低減することができるという効果を奏することから、各種排水装置に対して広く適用可能である。
【符号の説明】
【０１３０】
１０      雨水排水装置
１１      第１配管部（排水配管部）
１１ａ    下端部
１２      縮径部（排水配管部）
１２ａ    上端部
１２ｂ    中央部
１２ｃ    下端部
１３      第２配管部（排水配管部）
１３ａ    上端部
２０      スラブ
２１      立て配管部
２１ａ    流入口
２２      横引き配管部
２３      接続部
２４      排水口
３０      建造物
３１      屋上面
３２      凹部
３２ａ    設置面
４０      サイフォン発生器（サイフォン誘発部）
４１      ベース部
４１ａ    底面
４１ｂ    落とし口
４１ｃ    筒状部
４２      蓋部
４３      整流フィン
５０      雨水排水システム
ａ，ｂ    外径
ｃ      長さ
ｄ      Ｒ径
Ｇ      隙間
【図１】
2020020165.tif 000003
【図２】
2020020165.tif 000004
【図３】
2020020165.tif 000005
【図４】
2020020165.tif 000006
【図５】
2020020165.tif 000007
【図６】
2020020165.tif 000008